(57)【要約】【課題】所定の長さ寸法を有する複数の装飾用リボンの収納ケースを提供すること。【解決手段】複数のリボン（１２）の収納ケース（１０）は、箱（１４）と、箱に収納されたトレイ（１６）と、トレイ上に支持された保持部材（６０）とを含む。複数のリボンは互いに重ね合わされ、さらに２つに折り曲げられ、これらの両側縁（２５）の一方を接してトレイ（１６）上に載置される。保持部材（６０）は、複数のリボン（１２）がこれらの長手方向へ相対移動可能であるように、複数のリボンをこれらの折り曲げにより生じた逆Ｕ字形の折れ曲がり部（２６）においてトレイ（１６）上に保持する。箱（１４）は、折れ曲がり部（２６）とトレイの一部（Ｂ）とを箱の外部に露出させる窓（５４）又は窓の形成予定部（５６）を備える。【選択図】図２
2015048083.tif 000002
【特許請求の範囲】
【請求項１】
所定の長さ寸法を有する装飾用の複数のリボンが収納されたリボンケースであって、
箱と、
前記箱に収納されたトレイであって、互いに重ね合わされ、さらに２つに折り曲げられた前記複数のリボンがこれらの両側縁の一方を接して載置されているトレイと、
前記トレイ上に支持された保持部材であって、前記複数のリボンがこれらの長手方向へ相対移動可能であるように、前記複数のリボンをこれらの折り曲げにより生じた逆Ｕ字形の折れ曲がり部において前記トレイ上に保持する保持部材とを含み、
前記箱は、前記複数のリボンの折れ曲がり部と該折れ曲がり部が載置された前記トレイの一部とを前記箱の外部に露出させる窓又は該窓の形成予定部を備える、リボンケース。
【請求項２】
所定の長さ寸法を有する装飾用の複数のリボンが収納されるリボンケースであって、
箱と、
前記箱に収納されたトレイであって、互いに重ね合わされ、さらに２つに折り曲げられた前記複数のリボンがこれらの両側縁の一方を接して載置されるトレイと、
前記トレイ上に支持された保持部材であって、前記複数のリボンがこれらの長手方向へ相対移動可能であるように、前記複数のリボンをこれらの折り曲げにより生じた逆Ｕ字形の折れ曲がり部において前記トレイ上に保持する保持部材とを含み、
前記箱は、前記複数のリボンの折れ曲がり部と該折れ曲がり部が載置された前記トレイの一部とを前記箱の外部に露出させる窓又は該窓の形成予定部を備える、リボンケース。
【請求項３】
前記箱の窓の形成予定部は、該箱に設けられた連続した切れ込みにより区画された前記箱の一部からなる、請求項１又は２に記載のリボンケース。
【請求項４】
前記保持部材は、前記複数のリボンの折れ曲がり部を窄めて通す開口を有するゲートからなる、請求項１又は２に記載のリボンケース。
【請求項５】
さらに、前記トレイ上に支持された阻止部材であって、前記複数のリボンの折れ曲がり部が前記ゲートの開口から抜け出すことを阻止する阻止部材を有する、請求項４に記載のリボンケース。
【請求項６】
さらに、前記トレイに設けられたストッパであって、前記ゲートの開口を経て伸びる前記複数のリボンの折れ曲がり部を前記トレイの一部上に解除可能に留めるストッパを有する、請求項４に記載のリボンケース。
【請求項７】
前記リボンは、互いに重ね合わされた一対のリボン片と、両リボン片間に配置され両リボン片の長手方向へ伸びる紐とを備え、両リボン片と前記紐とはこれらの一端部で互いに結合され、両リボン片は、前記紐が両リボン片の他端部に対して両リボン片の長手方向へ相対移動可能であるように、両リボン片の長手方向に互いに間隔をおかれ両リボン片を横切る複数の線のそれぞれの上の２つの結合箇所において互いに結合されている、請求項１又は２に記載のリボンケース。
【発明の詳細な説明】
【技術分野】
【０００１】
本発明は、贈答品のような物品やその包装（物品等）の装飾の用に供される複数のリボンを収納するための、あるいはこれらのリボンが収納されたリボンケースに関する。
【背景技術】
【０００２】
従来、装飾用のリボンの収納ケースが提案されている。この収納ケースは、ロール状に巻かれた長尺のリボンを収納する上端開放の収納部と、該収納部上にあって、前記リボンが通された開口を有する板状部とを備える（後記特許文献１）。
【０００３】
この従来の収納ケースによれば、前記板状部の開口を通して、前記収納部に収納された前記長尺のリボンの一部を引き出し、引き出された前記長尺のリボンの一部からその所要長さを切断することにより短尺のリボンを得ることができ、これを用いて物品等に装飾を施すことができる。
【先行技術文献】
【特許文献】
【０００４】
【特許文献１】実用新案登録第３１４６１７８号公報
【発明の概要】
【発明が解決しようとする課題】
【０００５】
ところで、装飾に用いられるリボンには、前記従来の収納ケースが適用される長尺のリボンから切り取られた短尺のリボンのほか、予め所定の長さ寸法が定められた定尺のリボンがあるが、このような定尺のリボンについてもその保管、使用時の取り出し等が可能である収納ケースがあれば便利である。
【０００６】
したがって、本発明の目的は、所定長の複数の装飾用のリボンが収納されたリボンケース又は前記複数の装飾用のリボンが収納されるリボンケースを提供することにある。
【課題を解決するための手段】
【０００７】
本発明は、所定の長さ寸法を有する装飾用の複数のリボンを収納したリボンケース及び前記複数のリボンが収納されるリボンケースに関する。前記リボンケースは、箱と、該箱に収納されたトレイと、該トレイ上に支持された保持部材とを含む。前記複数のリボンは互いに重ね合わされ、さらに２つに折り曲げられ、また、これらの両側縁の一方を接して前記トレイ上に載置される。前記保持部材は、前記複数のリボンがこれらの長手方向へ相対移動可能であるように、前記複数のリボンをこれらの折り曲げにより生じた逆Ｕ字形の折れ曲がり部において前記トレイ上に保持する。前記箱は、前記複数のリボンの折れ曲がり部と該折れ曲がり部が載置された前記トレイの一部とを前記箱の外部に露出させる窓又は該窓の形成予定部を備える。
【０００８】
本発明によれば、所定長さの複数のリボンは前記トレイ上に載置され、該トレイを介して前記箱の内部に収納される。前記箱内に収納された前記複数のリボンはこれらの逆Ｕ字形の折れ曲がり部において前記トレイの一部と共に前記箱の窓からその外部に露出し、また、これらの折れ曲がり部を前記トレイ上に保持する保持部材が前記複数のリボンの長手方向への相対移動を阻害しないことから、前記複数のリボンの内の一枚をこれらの折れ曲がりから抜き取ることができる。前記折れ曲がり部は、折り曲げられていない他の部分と比べて、前記複数のリボン相互の重なりが密であり、緩みにくく解けにくいため、前記リボンの抜き取り後においても引き続きその形態が維持される。
【０００９】
前記リボンの折れ曲がり部を外部に露出させる前記窓は、前記箱に初めからあるものとし、あるいは、前記箱に窓形成予定部を設けておき、後に、ここに形成してもよい。前記窓の形成予定部は、例えば、前記箱に設けられた連続した切れ込みにより区画された前記箱の一部からなるものとすることができ、窓は、前記連続した切れ込みに沿って前記箱の一部を除去することにより形成することができる。
【００１０】
前記保持部材は、前記リボンの折れ曲がり部を窄めて通す開口を有するゲートからなるものとすることができる。前記ゲートはその開口に通された前記折れ曲がり部を前記トレイ上に拘束するが前記複数のリボンの長手方向への相対移動を阻害しない。また、前記折れ曲がり部を窄めることにより、前記折れ曲がり部における前記複数のリボン相互の重なりがより密にされ、これが前記折れ曲がり部の形態維持に寄与する。
【００１１】
前記保持部材が前記ゲートからなる場合、リボンケースは、前記トレイ上に支持された阻止部材を備えることが望ましい。前記阻止部材は、前記複数のリボンの折れ曲がり部が前記ゲートの開口から抜け出すことを阻止する。
【００１２】
前記保持部材が前記ゲートからなる場合には、また、リボンケースは、前記トレイに設けられたストッパを備えることが望ましい。前記ストッパは、前記ゲートの開口を経て伸びる前記複数のリボンの折れ曲がり部を前記トレイの一部上に解除可能に留める作用をなす。
【００１３】
前記リボンケースに収納される前記リボンは、例えば、造花形成用リボンからなる。前記造花形成用リボンは、互いに重ね合わされた一対のリボン片と、両リボン片間に配置され両リボン片の長手方向へ伸びる紐とを備える。両リボン片と前記紐とはこれらの一端部で互いに結合され、両リボン片が、前記紐が両リボン片の他端部に対して両リボン片の長手方向へ相対移動可能であるように、両リボン片の長手方向に互いに間隔をおかれ両リボン片を横切る複数の線のそれぞれの上の２つの結合箇所において互いに結合されている。この装飾用リボンによれば、両リボン片の一端部が両リボン片の他端部に近接するように該他端部に対して前記紐を相対移動させると、造花が形成される。前記相対移動により、両リボン片における複数の線上の結合箇所が順次に重なり合い、また、両リボン片の互いに隣接する２つの線の間の部分が湾曲する。湾曲した線間部分は前記造花の花弁を構成し、これらの花弁が前記造花の花冠を構成する。
【図面の簡単な説明】
【００１４】
【図１】装飾用の複数のリボンが収納されたリボンケースの斜視図である。
【図２】図１に示すリボンケースの箱からトレイの一部を引き出した状態にあるリボンケースの斜視図である。
【図３】図１に示すリボンケースの箱の窓形成予定部に窓を形成し、該窓から前記リボンの折れ曲がり部及びこれを載せた部分であるトレイの一部を露出させた状態にあるリボンケースの斜視図である。
【図４】図３に示すリボンケースの反対側を示す斜視図である。
【図５】前記複数のリボンが載置されたトレイの平面図である。
【図６】前記リボンの折れ曲がり部をトレイ上に保持するゲートからなる保持部材と、前記複数のリボンの折れ曲がり部が前記ゲートの開口から抜け出すことを阻止する阻止部材とを示す平面図である。
【図７】リボンケースを構成する箱の斜視図であってその内蓋及び外蓋が開けられトレイの挿入口が現れた状態にある箱の斜視図である。
【図８】トレイの平面図である。
【図９】一体にされた前記保持部材及び前記阻止部材の斜視図である。
【図１０】ａ及びｂは、それぞれ、分離された前記阻止部材及び前記保持部材の斜視図である。
【図１１】造花形成用リボンからなるリボンの平面図である。
【図１２】造花形成の途上にある、図１１に示す前記リボンの斜視図である。
【発明を実施するための形態】
【００１５】
図１を参照すると、所定の長さ寸法を有する装飾用の複数のリボン１２（図２参照）が収納されたリボンケースが全体に符号１０で示されている。
【００１６】
リボンケース１０は、箱１４と、該箱内に収納されたトレイ１６（図２参照）とを備える。複数のリボン１２はトレイ１６上に載置されている。図示のリボンケース１０はその構成部材の全てが紙材料からなる。リボンケース１０は、これを紙製とすることに代えて、例えばプラスチック製とすることが可能である。
【００１７】
箱１４は、矩形の平面形状を有する。箱１４は、前記矩形以外の他の多角形、円形、楕円形等の平面形状を有するものとすることができる。
【００１８】
また、トレイ１６は頂部開放の箱状体からなり、該箱状体は箱１４の平面形状に準じた矩形の平面形状を有する。トレイ１６は、図示の例に代えて、平板（図示せず）からなるものとすることができる。
【００１９】
リボン１２は、贈答品のような物品やその包装（物品等）の装飾のために用いられる。図示のリボン１２は、図１１及び図１２を参照して次に説明する造花形成用リボンからなる。装飾用リボン１２の長さ寸法は、その両側縁２５間の距離である幅寸法と共に、装飾対象である前記物品等の種類、大きさ等を考慮して選択される。
【００２０】
図１１に示すように、前記造花形成用リボン（符号１２で示されている。）は、互いに重ね合わされた一対のリボン片１８と、両リボン片１８間に配置され両リボン片１８の長手方向へ伸びる一対の紐２０とを備える。両リボン片１８と両紐２０とはこれらの一端部１８ａ，２０ａにおいて互いに結合されている。また、両リボン片１８は、両紐２０が両リボン片１８の他端部１８ｂに対して両リボン片１８の長手方向へ相対移動可能であるように、両リボン片１８の長手方向に互いに間隔をおかれ両リボン片１８を横切る複数の線ｌのそれぞれの上の２つの結合箇所２２において互いに結合されている。リボン片１８および紐２０は、それぞれ、例えばナイロン繊維やポリエステル繊維のような合成繊維製の織布からなり、溶接またはヒートシールにより互いに結合される。
【００２１】
図１２に示すように、造花形成用リボン１２による造花（図示せず）の形成は、両リボン片１８の他端部１８ｂに対して両紐２０を相対移動させることにより行う。より詳細には、両リボン片１８の他端部１８ｂの位置を固定して、図上において両紐２０を下方に引くことにより行う。これにより、両紐２０の一端部２０aとこれに固定されている両リボン片１８の一端部１８aとが、両リボン片１８の他端部１８ｂに向けて移動し、両リボン片１８の一部分すなわち互いに隣り合う２つの線ｌ上の結合箇所２２間の部分（線間部分）２４が互いに反対方向へ湾曲する。両紐２０の前記相対移動は、両リボン片１８の一端部１８aが他端部１８ｂに近接し、複数の線ｌ上の結合箇所２２が互いに重なり合うこととなるまで行う。その結果、複数の湾曲した線間部分２４を花弁とし、かつ、これらの花弁の集合を花冠とする前記造花が形成される。
【００２２】
リボンケース１０への収納に適するリボン１２の例としては、一対のリボン片１８及び紐２０を含む前記造花形成用リボンのほか、一枚のリボン片のみからなるリボン（図示せず）が挙げられる。
【００２３】
図２及び図５に示すように、リボン１２は、その複数枚が互いに重ね合わされ、さらに２つに折り曲げられ、これらの幅寸法を規定する両側縁２５の一方をトレイ１６に接して、より詳細にはトレイ１６の後記底部５０に接して載置されている。リボン１２は、好ましくは、前記リボンの長さ方向における中央の箇所で折り曲げられている。ただし、前記中央以外の他の箇所を折り曲げ箇所とすることは任意である。
【００２４】
互いに重ね合わされ、折り曲げられた複数のリボン１２は、逆Ｕ字形の折れ曲がり部２６と該折れ曲がり部から伸びる２つの伸長部２８とを有する。折れ曲がり部２６は、円弧状に湾曲する湾曲部分２６ａと該湾曲部分の両端にそれぞれ連なる２つの連続部分２６ｂとからなる。
【００２５】
再び図１を参照すると、トレイ１６が収納される箱１４は互いに相対する矩形状の頂部３０及び底部３２と、これらに連なる４つの細長い矩形状の側部３４とを有する。箱１４は、前記矩形における４つのコーナ部のうちの一のコーナ部Ａに、リボン１２の折れ曲がり部２６と該折れ曲がり部が載置されたトレイ１６の一部である後記コーナ部Ｂとを箱１４の外部に露出させる窓５４（図３参照）を形成するための形成予定部５６を備える。窓５４から箱１４の外部に露出した折れ曲がり部２６は、リボンケース１０に収納されたリボン１２の取り出しを可能にする。窓５４の形成予定部５６については後に詳述する。
【００２６】
図示の箱１４にあっては、そのコーナ部Ａで交わる２つの側部３４のうちの一方の側部３４が、図７に示すように、トレイ１６の出し入れをするための細長い矩形状の口３６とこれを解除可能に閉鎖する内蓋３８及び外蓋４０とにより構成されている。内蓋３８は箱１４の底部３２に連なり、また、外蓋４０は頂部３０に連なっている。内蓋３８は口３６の全部を覆う長さ寸法を有する。これに対し、外蓋４０は、内蓋３８より短い長さ寸法を有する。内蓋３８には、これが口３６を閉鎖したとき、箱１４の頂部３０に接して箱１４の内部に差し込まれる舌片４２が設けられている。他方、外蓋４０は、口３６を直接に閉鎖する内蓋３８上に重なり合う。外蓋４０には、内蓋３８に設けられた一対のスリット４４を通して箱１４内に差し込まれる一対の舌片４６が設けられている。符号４８は、口３６に隣接する２つの側部３４に連なるフラップを示す。トレイ１６の出し入れに供される口３６、内蓋３８、外蓋４０等は、図示の箇所以外の他の箇所に設けることができる。
【００２７】
箱１４の窓５４（図３及び図４参照）は、窓５４の形成予定部５６を箱１４から除去することにより生じる除去跡により形成される。形成予定部５６を設けることに代えて、初めから窓５４が設けられているものとすることができる。なお、窓５４又はその形成予定部５６は、箱１４における各コーナ部以外の任意の箇所に設けることが可能である。
【００２８】
窓５４の形成予定部５６は、箱１４に設けられた連続した切れ込み５８（図１及び図７参照）により区画することができる。図７を参照すると、切れ込み５８は次のような経路を経て伸びている。すなわち、箱１４の頂部３０上においてコーナ部Ａの入隅の周囲を巡り、次いで前記２つの側部３４のうちの他方の側部３４上を底部３２に向けて下方へ進み、次いで、底部３２上を頂部３０上の経路と相対する経路、すなわち底部３２の入り隅の周囲を巡り、最後に、前記２つの側部３４のうちの一方の側部３４を構成する内蓋３８及び舌片４２を横断している。この切れ込み５８に沿って、コーナ部Ａを構成する箱１４の頂部３０、前記他方の側部３４、底部３２及び内蓋３８のそれぞれの一部を除去することができ、除去跡が窓５４を構成する。
【００２９】
次に、頂部開放の箱状体からなるトレイ１６は、図２、図５及び図８に示すように、矩形状の底部５０と、該底部の周縁に連なる４つの側部５２とを有する。トレイ１６は、箱１４のコーナ部Ａに対応するコーナ部Ｂを有し、該コーナ部において互いに交差する２つの側部５４の一部分を切り欠いてなる切り欠き５３を有する。切り欠き５３を経て、前記リボンの折れ曲がり部２６がトレイ１６の一のコーナ部Ｂ上に伸びている。切り欠き５３はこれを設けることを省略することが可能である。このときには、トレイ１６の一のコーナ部Ｂにおける両側部５２が交差する空間に手指を差し入れて、折れ曲がり部２６からのリボン１２の取り出しを行うことができる。
【００３０】
トレイ１６は、箱１４の口３６から箱１４の内部に挿入して箱１４の底部３２上に載置し、また、箱１４の外部に引き出すことができる。トレイ１６は箱１４内にわずかな隙間をおいて収まるように、トレイ１６の底部５０及び側部５２の大きさが、それぞれ、箱１４の頂底部３０、３２及び側部３４の大きさよりわずかに小さいものに設定されている。加えて、トレイ１６の側部５２の高さ寸法が、その底部５０上に載置されるリボン１２の前記幅寸法よりわずかに大きいものに設定されている。このように設定するとき、リボンケース１０は比較的偏平な外観を呈する。また、リボンケース１０の取り扱い時や、その移動や運搬の際、箱１４内でのトレイ１６及びリボン１２のがたつきをそれぞれ最小限に抑えることができる。
【００３１】
リボンケース１０は、さらに、図２及び図５に示すように、トレイ１６上に載置された複数のリボン１２をこれらの折れ曲がり部２６においてトレイ１６上に保持する保持部材６０を備える。保持部材６０は複数のリボン１２をこれらの長手方向に関して相対移動可能に保持する。このため、折れ曲がり部２６の最外周から、複数のリボン１２の中の１枚を引いて抜き出すことができる。
【００３２】
図示の保持部材６０はゲートからなる。前記ゲートは、リボン１２の折れ曲がり部２６を通す矩形の開口６２を有する。折れ曲がり部２６は、その湾曲部分２６ａの外周面をトレイ１６のコーナ部Ｂに向けて、開口６２に通されている。開口６２の形状は前記矩形以外の任意の形状を選択することができる。また、開口６２は、トレイ１６のコーナ部Ｂとこれに相対する他のコーナ部とを結ぶ対角線上に配置することができる。
【００３３】
開口６２はこれに通される折れ曲がり部２６を窄める大きさ、すなわち、折れ曲がり部２６の２つの連続部分２６ｂに対してこれらが互いに相寄るように強制する大きさを有する。折れ曲がり部２６を窄めることにより、該折れ曲がり部の湾曲部分２６ａにおける複数のリボン１２相互の重なりがより密にされ、解けにくくされる。
【００３４】
図６、図９及び図１０に示すように、前記ゲートは、トレイ１６の底部５０上に載置され該底部と側部５２とに当接するほぼ矩形状を呈する平板部６４を有し、該平板部を介して、トレイ１６の底部５０上に支持されている。保持部材６０は、これを前記ゲートで構成する図示の例に代えて、例えば、トレイ１６の底部５０上に固定され、リボン１２の折れ曲がり部２６の通過を許すゴムバンド（図示せず）からなるものとすることができる。
【００３５】
前記ゲートは、複数のリボン１２の長手方向における相対移動を可能とすることに加えて、折れ曲がり部２６が前記対角線に沿って移動することを許す。このことから、開口６２に通されたリボン１２の折れ曲がり部２６を、箱１４の内部から外部へわずかに引き出し、その湾曲部分２６ａがトレイ１６の切り欠き５３を経て、トレイ１６の一のコーナ部Ｂからその外部に突出するようにすることができる（図５参照）。これにより、折れ曲がり部２６からのリボン１２の引き出し操作をより容易にすることができる。
【００３６】
また、保持部材６０が前記ゲートからなる図示の例においては、折れ曲がり部２６は前記対角線に沿って逆方向へ、すなわちコーナ部Ｂに相対する前記他のコーナ部に向けて移動することが可能である。この逆方向への移動によって折れ曲がり部２６が前記ゲートの開口６２から抜け出すことを阻止するための阻止部材６６が、トレイ１６上に支持されている。
【００３７】
図示の阻止部材６６は前記対角線上を伸びる帯状板からなり、その一端６６ａが前記ゲート部材の開口６２を経てトレイ１６のコーナ部Ｂ上まで伸びている（図５参照）。他方、開口６２に通された前記リボンの折り曲げ部２６は阻止部材６６の一端６６ａの周囲を取り巻いている。これによれば、阻止部材６６の一端６６ａが折れ曲がり部２６の内周面に当接するとき、折れ曲がり部２６の移動及びこれに伴う開口６２からの抜け出しが阻止される。
【００３８】
また、阻止部材６６を構成する前記帯状板の他端６６ｂは、前記対角線に沿ってトレイ１６のコーナ部Ｂに相対する前記他のコーナ部まで伸びている。このことから、図示の例では、阻止部材６６は、トレイ１６の底部５０上を前記対角線に沿って２つに仕切る仕切り板としての機能を併せて有する。
【００３９】
トレイ１６の底部５０上には、阻止部材６６を構成する前記帯状板の両側にあって該帯状板と平行に伸びる比較的短い２つの仕切板６８が支持されている。阻止部材６６と２つの仕切板６８とは、図１０に示すように、それぞれ、板紙を折り曲げ、また、その一部を刳り抜いて折り曲げることにより、形成することができる。また、前記板紙により形成された阻止部材６６と２つの仕切板６８とは、保持部材６０の平板部６４上に配置され、前記対角線に沿って伸びている。
【００４０】
前記リボンの折れ曲がり部２６から伸びる２つの伸長部２８は、それぞれ、阻止部材６６と両仕切板６８とが規定する２つの直線状の空間をトレイ１６のコーナ部Ｂからこれに相対する前記他のコーナ部へ向けて伸びている。前記直線状の空間は、前記リボンの伸長部２８の伸長態様を整然としたものにする。
【００４１】
図示の例では、リボン１２の各伸長部２８は、前記直線状の空間を経た後、各仕切板６８の端部で折り曲げられ、次いで、トレイ１６の側部に当たり折れ曲げって伸びている。各仕切板６８での複数のリボン１２の折り曲げによりリボン相互が圧密され、これが、折れ曲がり部２６から取り出される前記１枚のリボンに対して適度な引き出し抵抗を与える。
【００４２】
なお、図示の例では、平板部６４に形成された切り込みに沿って折り返された２つの板状部７２がこれらの間に位置しかつこれらとそれぞれ接する仕切板６８を支持している。
【００４３】
図４、図５及び図８に示すように、トレイ１６は、好ましくは、さらに、トレイ１４のコーナ部Ｂに設けられたストッパ７４を有する。ストッパ７４は、前記ゲートの開口６２を経て伸びる前記リボンの折れ曲がり部２６の内周面に係止してトレイ１６のコーナ部Ｂ上に解除可能に留める作用をなす。図示の爪部７４は、トレイ１６のコーナ部Ｂに形成された半円形の切り込みを折り返してなる。
【００４４】
なお、保持部材６０、阻止部材６６、仕切板６８、ストッパ７４等は、これらのそれぞれを独立したものとして形成し、また、トレイ１６の底部５０上に固定されたものとすることができる。
【符号の説明】
【００４５】
１０  リボンケース
１２  装飾用のリボン
１４  箱
１６  トレイ
２５  リボンの側縁
２６  リボンの折れ曲がり部
５４  窓
５６  窓の形成予定部
６０  保持部材
６２  ゲートの開口
６６  阻止部材
７４  ストッパ
【図１】
2015048083.tif 000003
【図２】
2015048083.tif 000004
【図３】
2015048083.tif 000005
【図４】
2015048083.tif 000006
【図５】
2015048083.tif 000007
【図６】
2015048083.tif 000008
【図７】
2015048083.tif 000009
【図８】
2015048083.tif 000010
【図９】
2015048083.tif 000011
【図１０】
2015048083.tif 000012
【図１１】
2015048083.tif 000013
【図１２】
2015048083.tif 000014